Podtech/llm-jp-corpus-v4-ja_patent huggingface dataset:
(57)【要約】【課題】インターネット上での有料情報サービス利用時の、ユーザ登録およびクレジットカードを所持しないユーザへの課金を、安全簡便に実現する方法がなかった。【解決手段】以下の手段で上記課題を解決する（１）ユーザは、ＰＣもしくはスマートフォンなどの端末から、インターネットを介して、有料情報サービスサイトの初期登録画面を表示し、住所氏名などをフォームに入力し、送信ボタンを押す。（２）有料情報サービスサーバは、ＩＤ、パスワードもしくは、ユニークな乱数などを含む確認情報を払い出し、住所氏名とともにデータベースに保存する。この段階では仮登録の状態となる。（３）有料情報サービスサーバは確認情報を印字した印刷物を、本人限定受取および代金引換郵便で郵送する。別途、この部分はオンライン化してもよい。（４）郵便配達員は、ユーザに免許証原本の提示を求め、厳重な本人確認の後、課金額を現金で徴収代行した後、前記印刷物を渡す。（５）ユーザは、（４）の確認情報を、端末から送信する。これは（１）の端末と別であってもよい。（６）有料情報サービスサーバは、（５）で受信した確認情報をキーに、データベースを検索し、該当するユーザ情報の本人確認登録および課金を完了し、有料情報サービスの提供などを行う。【特許請求の範囲】
【請求項１】
サービス提供者側手段が、代金引換および／もしくは本人限定宅受取で郵送した情報を、ユーザ側手段から受信した場合、課金処理および／もしくはユーザ登録を正常完了することを特徴とした、本人限定受取および代金引換郵便を用いたユーザ登録および課金方法。
【発明の詳細な説明】
【技術分野】本発明は、本人限定受取および代金引換郵便を用いたインターネット上でのユーザ登録および課金方法に属する。
【発明の概要】
【発明が解決しようとする課題】従来、電子書籍や、ＰＫＩなど、インターネット上での有料情報サービスの初期登録およびクレジットカードを利用しない課金を、安全確実に行おうとするのは困難であった。例えば、携帯電話のカメラで免許証を撮影し、専用アプリケーションを介して送信するなどの方法があるが、ユーザに不利便性を強いたり、ユーザが画像処理ソフトを用いて免許証の文字列の改ざんするなどの可能性があった。また送付された請求書を、わざわざコンビニまで持って行き支払う手間や、コンビニが無い過疎地では利用できないなどの課題があった。ネットショップでの代引での配送方法などもあるが、ネットショップの初期登録を、なりすましなくする方法は無かった。Ａｍａｚｏｎポイントなどもあるが、これは予めユーザ登録し、クレジットカード決済で購入することが必須で、本課題を解決できない。
【課題を解決するための手段】以下の手段で上記課題を解決する
（１）ユーザは、ＰＣもしくはスマートフォンなどの端末から、インターネットを介して、有料情報サービスサイトの初期登録画面を表示し、住所氏名などをフォームに入力し、送信ボタンを押す。
（２）有料情報サービスサーバは、ＩＤ、パスワードもしくは、ユニークな乱数などを含む確認情報を払い出し、住所氏名とともにデータベースに保存する。この段階では仮登録の状態となる。
（３）有料情報サービスサーバは確認情報を印字した印刷物を、本人限定受取および代金引換郵便で郵送する。別途、この部分はオンライン化してもよい。
（４）郵便配達員は、ユーザに免許証原本の提示を求め、厳重な本人確認の後、課金額を現金で徴収代行した後、前記印刷物を渡す。
（５）ユーザは、（４）の確認情報を、端末から送信する。これは（１）の端末と別であってもよい。
（６）有料情報サービスサーバは、（５）で受信した確認情報をキーに、データベースを検索し、該当するユーザ情報の本人確認登録および課金を完了し、有料情報サービスの提供などを行う。
【発明の効果】仮に、（１）において虚偽の住所・氏名を入力した場合、確認情報はユーザに配送されないか、もしくは免許証での本人確認ができないので、ユーザは確認情報を受け取ることができず、なりすまし登録は行えない。また免許証を提示するだけなので、上記課題のような写真をとるという不利便性はなく、また免許証原本提示なので、画像処理のようなカジュアルハックを防止できる。また、手渡しで現金払いできるので、クレジットカードを持たないユーザにも適用でき、郵便なのでコンビニに出向く必要もなく、コンビニがない過疎地域でも利用可能である。
(57)【要約】【課題】地震を検知して信号を発生して屋外に退去する手段を提供することが目的である。【解決手段】携帯電灯と同じ形状で、地震による振動により、球面を転動する導体球を装着し、高周波電流の通電された検知コイルが導体球の直下に載置されているので、検知コイルのインピーダンスの変化を検出する電気回路により検出信号を得て、電球を点灯し又警報を出す装置により構成される。【選択図】図１
2013186118.tif 000002
【特許請求の範囲】
【請求項１】
細長型の外筺の端部に装着された電球ならびにその投射光を得る為の周知の投光装置と、該電球に通電する為に該外筺に収納された電池と、該外筺を鉛直方向に壁面等に架設する為の装置と、該外筺が鉛直方向に架設されたときに、球面の中央部に導体球が位置するように該外筺に装着された球面と、球面の中央部の下側に、導体球に対向して装着された検知コイルと、該検知コイルに導体球が近接し、又は離間したときのインピーダンスの変化を検出して検出信号を発生する高周波発振器を含み前記した電池により供電される検出回路と、該検出信号により前記した電球に通電して発光を継続せしめる電気回路とより構成されたことを特徴とする振動検出装置。
【発明の詳細な説明】
【技術分野】
【０００１】地震を感知して警報信号を発生する保安装置として利用される。
【背景技術】
【０００２】地震の検知能力が確実で、照明器具を兼ねている装置を得ることが課題である。
【発明の概要】
【発明が解決しようとする課題】
【０００３】細長型の外筺の端部に装着された電球ならびにその投射光を得る為の周知の投光装置と、該電球に通電する為に該外筺に収納された電池と、該外筺を鉛直方向に壁面等に架設する為の装置と、該外筺が鉛直方向に架設されたときに、球面の中央部に導体球が位置するように該外筺に装着された球面と、球面の中央部の下側に、導体球に対向して装着された検知コイルと、該検知コイルに導体球が近接し、又は離間したときのインピーダンスの変化を検出して検出信号を発生する高周波発振器を含み前記した電池により供電される検出回路と、該検出信号により前記した電球に通電して発光を継続せしめる電気回路とより構成されたものである。
【課題を解決するための手段】
【０００４】壁面に吊下げられた外筺が地震により振動すると、外筺内にある球面の中央部にある導体球が前後左右に転動するので、導体球の直下に装着され高周波通電されている検出コイルのインピーダンスが変化する。インピーダンスの変化を検出して外筺端部の電球を点灯するので、暗夜でも外筺を手に持って安全に屋外に脱出することができる。
【発明の効果】
【０００５】以上の説明より理解できるように、本発明装置を屋内に装着しておくことにより、地震のときに迷うことなく屋外に出ることができ、夜間の場合には照明器具を兼ねることができて、災害防止に有効な手段を提供できる。
【図面の簡単な説明】
【０００６】
【図１】本発明装置の側面図
【図２】本発明装置の架設装置の１部の説明図
【図３】外筺の下端に設けた振動検知装置の断面図
【図４】図３の球面２ａと導体球８の平面図
【図５】本発明装置の電気回路図
【実施例】
【０００７】次に実施例につき本発明装置の詳細を説明する。図１は、本発明装置の側面図である。図１において、外筐１は周知の円筒型の携帯型の電灯と同じ構成のもので、点線５で示す部分に電池が収納され、後述する手段により、外筺１の上端部の外筺３内にある電球が通電点灯され矢印Ａ方向に光を投射する。【０００８】記号３ａの部分はレンズである。その内部にある電球の通電を断つと消灯する。記号７で示す部材は外筺１を壁面に架設する為のもので、上端部７ｂは外筺１に固定され、壁面６の突出ピン６ａ，６ｂに空隙部（図２で記号７ａとして示したもの）を挿入することにより、外筺１は壁面に平行に保持される。図２は上述した架設部材を図１の矢印Ｂ方向よりみた平面図である。図１の記号２で示した外筺の詳細を図３につき説明する。図３において、プラスチック成型により作られた球面２ａが外筺２の開口部より挿入して図示の位置で固着される。矢印Ｃが鉛直方向なので、導体球８は球面２ａ中央部最下端に載置されている。図４は図３を矢印Ｃ方向よりみた平面図である。【０００９】コイル面が導体球８に対向する位置で検知コイル９ａが固定されて保持される。点線記号９で示すものは、検知コイル９ａに導体球８が対向しているか否かを検知して検知信号を得る為めの電気回路で、その詳細を図５につき説明する。図５において、高周波発信回路１０の出力は検知コイル９ａ、抵抗９ｂに入力通電され、抵抗９ｂの電圧降下はダイオード９ｃ、コンデンサ９ｄにより直流化されてオペアンプ１２の−端子に入力される。【００１０】正電圧端子１１により抵抗１１ａ，１１ｂが通電され、抵抗１１ｂの電圧降下がオペアンプ１２の＋端子に入力される。オペアンプ１２の出力はフリップフロップ回路１３の＋端子に入力し、その出力は増幅回路１４により増幅されて、電球１５とブザー１６を通電する。導体球８が図３の位置にあるときには、検知コイル９ａのインピーダンスは最少の値となり、従って抵抗９ｂの電圧降下は最大値となっている。このときにオペアンプ１２の＋−の入力電圧は等しくなるように調整されているので、その出力は無い。【００１１】地震により、外筺１，２が振動すると、導体球８が転動して検知コイル９ａより離間するので、検知コイル９ａのインピーダンスが増大する。従ってオペアンプ１２の−端子の入力電圧が降下して、その出力がハイレベルとなり、フリップフロップ回路１３の出力端子１３ａの出力もハイレベルとなる。従って電力増幅回路１４の出力により、電球１５が点灯し、ブザー１６が警報を発生するので地震の発生を報知することができる。導体球８の下部２の曲面に空孔を設け、設定されたマグニチュード以上の地震の場合のときのみに導体球が転動して上述した警報を発生するようにしておくと、屋外に人が退去すべき危険度合を知ることができる。
【符号の説明】
【００１２】１，２  外筺
３，３ａ  投光用のレンズと外筺
５  収納する電池
６ａ，６ｂ  壁面６の突出部
７，７ａ，７ｂ  架設部材
２ａ  球面
８  導体球
９ａ  検知コイル
９  電気回路のブロック図
１０  高周波発振回路
１２  オペアンプ
１３  フリップフロップ回路
１５  電球
１６  ブザー
【図１】
2013186118.tif 000003
【図２】
2013186118.tif 000004
【図３】
2013186118.tif 000005
【図４】
2013186118.tif 000006
【図５】
2013186118.tif 000007
(57)【要約】      （修正有）【課題】電動ドリルでの、作業中において、ピット交換の手間と時間のロスを減らす。【解決手段】構造は市販の電動ドリルを応用利用し、現ドリルの反対側に同じ機能を有するドリルを設け、１台で２役利用できる構造とする。片方にドリル専用ピットを取付、他方にドライバー専用ピットを取付、同一（サイズ）の作業中は、各ビットの交換はしないので、ピットの交換時間が短縮できる。【選択図】図１
2013022724.tif 000002
【特許請求の範囲】
【請求項１】
電力は、交流、直流両用で共に（１２Ｖ〜２４Ｖ）迄を利用する。
【請求項２】
構造は市販の電動ドリルを応用利用し、現ドリルの反対側に同じ機能を有するドリルを設け、１台で２役利用できる構造とする。
【請求項２】
片方にドリル専用ピットを取付、他方にドライバー専用ピットを取付、同一（サイズ）の作業中は、各ビットの交換はしないので、ピットの交換時間が短縮できる。
【請求項３】
新設するドリル、ドライバー構造機能には、クラッチを設け（ＯＮ、ＯＦＦ）にて切替えて、片方ずつ利用できる。
【請求項４】
外側カバーケイスは、強化プラスチック製とし器具の軽量化を更に進める。
【請求項５】
ドリル、ドライバーのピットのサイズは¢１０ｍｍ迄とする。
【請求項６】
ピットの固定軸は三点摘み式で、ネジ込み挟み固定とする。
【請求項７】
当発明工具の名称は、「双頭交直両用ドリル、ドライバー」とする。
【発明の詳細な説明】
【技術分野】
【０００１】この発明は、市販のドリル構造を応用し、１台のドリル工具の反対側に、同じ構造機能を有する、ドリルを左右に設け１台２役の機能を持つ、交、直両用電力で始動できる、ドリル、ドライバーを考案した。
【背景技術】
【０００２】現在のドリルではドリルとドライバーピットを、１個ごとに取り替えて作業しているが、私の考案した『双頭、交直両用ドリル、ドライバー』では同じサイズのピットで、同一作業中ピットの取り替えせず、作業ができる。
【発明効果】
【０００３】同一作業中、穴あけピットとネジ締付用ピットを事前にセットすれば、ピットの交換作業と手間の短縮ができる。
【図面の簡単な説明】
【０００４】第１図、第２図で表示する。
【図１】は、全体図の（構造、断面、透視）図である。
【図２】は、第１図の９０°回転図の（構造、断面、透視）図である。
【符号の説明】
【０００５】第１図  ▲１▼  ビットを挟んで固定するつまみ
▲２▼  ビットをねじ込み挟んで固定する
▲３▼  支軸
▲４▼  ローラーベアリング
▲５▼  伝導斜歯車
▲６▼  送風プロペラ
▲７▼  バンド掛けフック
▲８▼  モーター
▲９▼  モーター用電極
▲１０▼  電極用炭素棒ケース
▲１１▼  伝導用入脱着斜歯車接続クラッチ摘み
▲１２▼  伝導主軸斜歯車
▲１３▼  主軸
▲１４▼  正、反、入力切替ハンドル
▲１５▼  電力量調整摘み兼入力スイッチ
▲１６▼  電気入力コード固定器具
第２図  ▲１７▼  バッテリー固定フック
▲１８▼  充電式バッテリー
▲１９▼  入出力用接続ベン
▲２０▼  入出力電源固定プレート
▲２１▼  バッテリー固定ロック用フック
【図１】
2013022724.tif 000003
【図２】
2013022724.tif 000004
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
電力は交流、直流両用で共に（１２Ｖ〜２４Ｖ），迄を利用する。
【請求項２】
構造は市販の電動ドリルを応用利用し、現在のドリルの反対側に、同じ構造機能を設け１台で２役利用できる機能構造とする。
【請求項３】
片方にドリル専用ピットを取付、他方にドライバー専用ピットを取付（同一サイズ穴作業中）は、各ピットの交換をしないので、交換時間の短縮ができる。
【請求項４】
新設するドリル、ドライバー構造機能には、各片方ずつ、連動脱着クラッチ（ＯＮ、ＯＦＦ）にて切替て利用できる、スイチ摘みを設ける構造とする。
【請求項５】
外側カバーケイスは強化プラスチック製とし、更に軽量化を進める。
【請求項６】
ドリル、ドライバーのピットのサイズはφ１０ｍｍ迄とする。
【請求項７】
ピットの固定軸は三点摘み式で、スクリューネジでねじ込み固定する。
【請求項８】
当発明電動工具の名称は、「双頭式交直両用ドリル、ドライバー」とする。
【手続補正２】
【補正対象書類名】明細書
【補正対象項目名】全文
【補正方法】変更
【補正の内容】
【発明の詳細な説明】
【技術分野】
【０００１】この発明は、市販の電動ドリル構造を応用し、１台のドリル工具の反対側に同じ構造機能を有する、ドリルを左右に設け１台２役の機能を持つ、交、直両用電力で始動できる、ドリル、ドライバーを考案した。
【背景技術】
【０００２】現在のドリルではドリルとドライバー、ピットを、１箇所ごとに取り替えて作業しているが、私の考案した『双頭式電動交直両用ドリル、ドライバー』では同じサイズのピットで、同一作業中ピットの取り替えせずに作業ができる。
【発明効果】
【０００３】同一作業中、穴あけヒットとネジ締付用ピットを事前にセットしておけば、ピットの交換作業と手間の短縮ができる。
【図面の簡単な説明】
【０００４】
【図１】全体図の（構造、断面、透視）図である。
【図２】第１図の９０°回転図の（構造、断面、透視）図である。
【符号の説明】
【０００５】［第１図］▲１▼ピットを３点で挟み固定する摘み。
▲２▼ピットをネジ込み固定する。
▲３▼ピットをネジ込むスクリューネジ。
▲４▼ローラーベアリング。
▲５▼支軸。
▲６▼伝導斜歯車。
▲７▼送風プロペラ。
▲８▼バンド掛けフック。
▲９▼モーター。
▲１０▼モーター用電極。
▲１１▼電極用炭素棒ケース。
▲１２▼伝導用入脱着斜歯車接続、クラッチ摘み。
▲１３▼伝導用主軸斜歯車。イ
▲１４▼主軸。
▲１５▼正、反回転切替つまみ。
▲１６▼高、低速回転調整つまみ、兼入力スイッチつまみ。
▲１７▼交流電気入力固定ソケット。
［第２図］▲１８▼バッテリー固定フック。
▲１９▼充電式バッテリー（１２Ｖ〜２４Ｖ）迄。
▲２０▼入力用接続ベン。
▲２１▼バッテリー電源入力用固定プレート。
▲２２▼バッテリー固定ロック用フック。
【手続補正３】
【補正対象書類名】図面
【補正対象項目名】全図
【補正方法】変更
【補正の内容】
【図１】
2013022724.tif 000005
【図２】
2013022724.tif 000006
(57)【要約】【課題】被加工物に雌ねじを形成する際に、略円柱状本体が雌ねじ形成用孔の中心線に沿って該雌ねじ形成用孔内に正確に挿入され、該雌ねじ形成用孔内に雌ねじが正確に形成されるようにしたハンドタップを提供する。【解決手段】略円柱状本体３における一端部４の周面４ａに雌ねじ形成刃５を設けてなるハンドタップ１において、該略円柱状本体３における当該一端部４の端面４ｂには、被加工物に穿設された円筒状の雌ねじ形成用孔と略同一の直径を有する円柱状の突起１３を突設し、該被加工物に雌ねじを形成する際に、該突起１３により該略円柱状本体３が該雌ねじ形成用孔の中心線に沿って案内され、該雌ねじ形成用孔内に正確に挿入されるようにしたことを特徴とするハンドタップ。【選択図】図１
2013022704.tif 000002
【特許請求の範囲】
【請求項１】
略円柱状本体における一端部の周面に雌ねじ形成刃を設けてなるハンドタップにおいて、
該略円柱状本体における当該一端部の端面には、被加工物に穿設された円筒状の雌ねじ形成用孔と略同一の直径を有する円柱状の突起を突設し、該被加工物に雌ねじを形成する際に、該突起により該略円柱状本体が該雌ねじ形成用孔の中心線に沿って案内され、該雌ねじ形成用孔内に正確に挿入されるようにしたことを特徴とするハンドタップ。
【発明の詳細な説明】
【技術分野】
【０００１】
本発明は、手作業によりめねじを形成するためのハンドタップ（手回しタップ）に関するものであり、例えば自動車のエンジンルーム内の如き狭くて入り組んだ場所に配設されている部材、部品、部分等の被加工物に対し、当該場所にてめねじを形成することができるようにしたハンドタップに係るものである。
【背景技術】
【０００２】
ハンドタップとしては、例えば本考案者が提案した実用新案登録第３０８４７７９号公報に示すように、略円柱状本体（シャンク）の一端部に雌ねじ形成刃を設けてなるもの(以下「従来のハンドタップ」という。)が既に知られている。
【０００３】
すなわち、従来のハンドタップ１は、図４、図５に示すように、略円柱状本体３における一端部４の周面４ａに、被加工物の所定場所に雌ねじを形成するための雌ねじ形成刃５を形成してなるものである。
【０００４】
従来のハンドタップ１により被加工物に雌ねじを形成する際には、該被加工物に雌ねじを形成するための円筒状の雌ねじ形成用孔を予め穿設し、該略円柱状本体３の他端部に保持体を外嵌し、該保持体を把持して該雌ねじ形成用孔内に略円柱状本体３の一端部を圧入しつつ、該保持体を回転させるのである。
【先行技術文献】
【特許文献】
【０００５】
【特許文献１】実用新案登録第３０８４７７９号公報
【発明の概要】
【発明が解決しようとする課題】
【０００６】
しかるに、従来のハンドタップにおいては、上述の如く被加工物に雌ねじを形成する際に、該ハンドタップが雌ねじ形成用孔の中心線に対し傾斜するおそれがある。該ハンドタップが雌ねじ形成用孔の中心線に対し傾斜したときには、雌ねじを正確に形成することができない。
【０００７】
本発明は、上記従来のハンドタップにおけるこのような問題を解決し、被加工物に雌ねじを形成する際に、略円柱状本体が雌ねじ形成用孔の中心線に沿って該雌ねじ形成用孔内に正確に挿入され、該雌ねじ形成用孔内に雌ねじが正確に形成されるようにしたハンドタップを提供しようとしてなされたものである。
【課題を解決するための手段】
【０００８】
上記課題を解決するために、本発明は、下記のハンドタップを提供するものである。
【０００９】
略円柱状本体における一端部の周面に雌ねじ形成刃を設けてなるハンドタップにおいて、
該略円柱状本体における当該一端部の端面には、被加工物に穿設された円筒状の雌ねじ形成用孔と略同一の直径を有する円柱状の突起を突設し、該被加工物に雌ねじを形成する際に、該突起により該略円柱状本体が該雌ねじ形成用孔の中心線に沿って案内され、該雌ねじ形成用孔内に正確に挿入されるようにしたことを特徴とするハンドタップ。
【発明の効果】
【００１０】
本発明によれば、略円柱状本体における前記一端部の周面には、被加工物に穿設された円筒状の雌ねじ形成用孔と略同一の直径を有する円柱状の突起を突設し、該被加工物に雌ねじを形成する際に、該突起により該略円柱状本体が該雌ねじ形成用孔の中心線に沿って案内され、該雌ねじ形成用孔内に正確に挿入されるようにしたため、ハンドタップは、該雌ねじ形成用孔の中心線に対し傾斜することなく、該雌ねじ形成用孔内に雌ねじを正確に形成することができる。
【図面の簡単な説明】
【００１１】
【図１】図１は、本発明によるハンドタップの一例を示す側面図である。
【図２】図２は、同上ハンドタップの正面図である。
【図３】図３は、同上ハンドタップの使用状態の一例を示す説明図である。
【図４】図４は、従来のハンドタップの一例を示す側面図である。
【図５】図５は、同上ハンドタップの正面図である。
【発明を実施するための形態】
【００１２】
本発明によるハンドタップ１１は、金属製の略円柱状本体（シャンク）３における一端部４の周面４ａに雌ねじ形成刃５を設けてなる点においては、上記従来のハンドタップ１と同様である。
【００１３】
しかして、本発明によるハンドタップ１１においては、略円柱状本体３における当該一端部４の端面４ｂには、被加工物７に穿設された円筒状の雌ねじ形成用孔９と略同一の直径を有する円柱状の突起１３を突設し、該被加工物７に雌ねじを形成する際に、該突起１３により該略円柱状本体３が該雌ねじ形成用孔９の中心線に沿って案内され、該雌ねじ形成用孔９内に正確に挿入されるようになす。図３参照。突起１３の長さは、一例として、該突起１３の直径にほぼ等しい。
【００１４】
図３に示す事例においては、略円柱状本体３の他端部６には、保持体１５を外嵌し、該保持体１５を把持して該雌ねじ形成用孔９内に略円柱状本体３の一端部４を圧入しつつ、該保持体１５を回転させるようにしている。
【符号の説明】
【００１５】
１  従来のハンドタップ
３  略円柱状本体
４  一端部
４ａ  周面
４ｂ  端面
５  雌ねじ形成刃
６  他端部
７  被加工物
９  雌ねじ形成用孔
１１  本発明によるハンドタップ
１３  突起
１５  保持体
【図１】
2013022704.tif 000003
【図２】
2013022704.tif 000004
【図３】
2013022704.tif 000005
【図４】
2013022704.tif 000006
【図５】
2013022704.tif 000007
(57)【要約】【課題】パチンコ台１で遊技するとき、健康の問題がなく、むしろ、健康増進につながるようにする。【解決手段】フィットネス器具２がパチンコ台１に対向するよう配置される。さらに、制御装置がフィットネス器具２およびパチンコ台１に接続され、フィットネス器具２が操作されているとき、制御装置によってパチンコ台１が駆動され、玉がはじき出される。【選択図】図１
2013022301.tif 000002
【特許請求の範囲】
【請求項１】
パチンコ台に対向するよう配置されたフィットネス器具と、
前記フィットネス器具およびパチンコ台に接続され、前記フィットネス器具が操作されているとき、前記パチンコ台を駆動し、玉がはじき出されるようにする制御装置とからなるパチンコ装置。
【請求項２】
前記フィットネス器具はフィットネスバイクからなり、ペダルを有し、両足で前記ペダルがこがれているとき、前記制御装置によって前記パチンコ台が駆動され、前記玉がはじき出されるようにした請求項１に記載のパチンコ装置。
【発明の詳細な説明】
【技術分野】
【０００１】
この発明は、パチンコ装置に関する。
【背景技術】
【０００２】
たとえば、特許文献１に示されているように、パチンコ台の椅子としていくつかのものが提案されているが、どの椅子であっても、パチンコ台で遊技している間、遊技者は椅子に着座しているだけである。長時間にわたり、遊技者が椅子に着座したままであることも多く、健康上、好ましくないことは明らかである。
【０００３】
したがって、この発明は、特別の構成のパチンコ装置を新たに提供し、パチンコ台で遊技するとき、健康の問題がなく、むしろ、健康増進につながるようにすることを目的としてなされたものである。
【先行技術文献】
【特許文献】
【０００４】
【特許文献１】特開２００７−９７６７７号公報
【発明の概要】
【０００５】
この発明によれば、フィットネス器具がパチンコ台に対向するよう配置される。さらに、制御装置がフィットネス器具およびパチンコ台に接続され、フィットネス器具が操作されているとき、制御装置によってパチンコ台が駆動され、玉がはじき出される。
【０００６】
好ましい実施例では、フィットネス器具はフィットネスバイクからなり、ペダルを有する。そして、両足でペダルがこがれているとき、制御装置によってパチンコ台が駆動され、玉がはじき出される。
【図面の簡単な説明】
【０００７】
【図１】この発明の実施例を示す斜視図である。
【発明を実施するための形態】
【０００８】
以下、この発明の実施例を説明する。
【０００９】
図１はこの発明にかかるパチンコ装置を示す。このパチンコ装置はフィットネス器具を有し、フィットネス器具はパチンコ台１に対向するよう配置される。さらに、制御装置がフィットネス器具およびパチンコ台１に接続され、フィットネス器具が操作されているとき、制御装置によってパチンコ台１が駆動され、玉がはじき出される。
【００１０】
フィットネス器具はフィットネスバイク２からなり、ペダル３、サドル４、ハンドル５、レバー６およびパネル７を有し、パチンコ台１に対向するよう配置されている。パチンコ台１はノブ８を有する。さらに、ダクト９によってフィットネスバイク２とパチンコ台１が連結され、電線がダクト９に通され、制御装置が電線、フィットネスバイク２およびパチンコ台１に接続されており、両足でペダル３がこがれているとき、制御装置によってパチンコ台１が駆動され、玉がはじき出される。
【００１１】
さらに、この実施例では、ペダル３の回転毎に、パネル７でそれがカウントされ、表示され、その信号にもとづき、制御装置によってパチンコ台１が駆動され、玉がはじき出される。両手で交互にハンドル５およびレバー６を握りしめても、パネル７でそれがカウントされ、表示され、その信号にもとづき、制御装置によってパチンコ台１が駆動され、玉がはじき出される。さらに、パチンコ台１のノブ８によってはじき出す力を調節することができる。
【００１２】
したがって、このパチンコ装置の場合、まず、遊技者がサドル４に着座する。そして、両足でペダル３をこぎ、その状態でパチンコ台１の遊技に興じることができる。両手で交互にハンドル５およびレバー６を握りしめ、その状態でパチンコ台１の遊技に興じることもできる。逆にいうと、両足でペダル３をこぐか、両手で交互にハンドル５およびレバー６を握りしめない限り、パチンコ台１の遊技に興じることはできない。
【００１３】
したがって、パチンコ台１で遊技している間、遊技者がペダル３をこぐか、ハンドル５およびレバー６を握りしめ、それを繰り返すことは必然であり、フィットネス効果が得られ、健康の問題はない。さらに、パチンコ台１の遊技に熱中することは普通であるが、熱中している間、自然に無意識にペダル３をこぐか、自然に無意識にハンドル５およびレバー６を握りしめることも必然である。したがって、その持続時間が長く、フィットネス効果は高い。それが健康増進につながることは明らかである。体力向上を期待することもできる。
【００１４】
なお、この実施例では、フィットネス器具としてフィットネスバイク２を使用したものを説明したが、他の器具を使用することも考えられる。
【符号の説明】
【００１５】
１  パチンコ台
２  フィットネスバイク
３  ペダル
【図１】
2013022301.tif 000003
(57)【要約】【課題】風雨に晒され汚れた物干し竿を、簡単操作で物干し竿カバーを裏返すことで、汚れを拭きとらずに使用出来る物干し竿カバーを提供する。【解決手段】  物干し竿７に挿着される竿カバー本体２と、その竿カバー本体２の下部に連設されるハンガー掛け部６とよりなり、竿カバー本体２は、小径部３より大径部４方向に漸大形状になっている。【選択図】図１
2013022431.tif 000002
【特許請求の範囲】
【請求項１】
物干し竿に挿着される竿カバー本体と、その竿カバー本体の下部に連設されるハンガー掛け部とよりなり、竿カバー本体は、小径部より大径部方向に漸大形状になっていることを特徴とする物干し竿カバー。
【発明の詳細な説明】
【技術分野】
【０００１】  本発明は、物干し竿の汚れを防止する物干し竿カバーに関する。
【背景技術】
【０００２】  従来、室外に設置されている物干し竿は、外気に晒されているためゴミが付着し、特に風雨のときは汚れが激しかった。【０００３】  又、ハンガーを使用する場合、ハンガーが風によってずれないようにするため、ハンガー掛け具を固着した竿もあった。
【発明の概要】
【発明が解決しようとする課題】
【０００４】  ところが、上記物干し竿を直接使用する場合、その竿が汚れているため、その都度汚れを拭き取らなければならず面倒であった。【０００５】  特に、ハンガー掛け具を固着した物干し竿は、ハンガー掛け具の形状や構造が、汚れの拭きとりを非常に困難にしていた。【０００６】  本発明は、斯かる事情に鑑みてなされたもので、従来の前記問題を一挙に解決することが出来る、物干し竿カバーを提供することを目的としている。
【課題を解決するための手段】
【０００７】  前記目的を達成するために、本発明は、物干し竿に挿着される竿カバー本体と、その竿カバー本体の下部に連設されるハンガー掛け部とよりなり、竿カバー本体は小径部より大径部方向に漸大形状になっていることを特徴とする。
【発明の効果】
【０００８】  本発明によれば、室外に設置されている物干し竿の有効長の略半分の長さの竿カバー本体を、物干し竿有効長の中央より一方に小径部から大径部方向に挿着する。【０００９】  これにより、物干し竿の有効長中央より一方の略半分が露出され、他方略半分はカバーが挿着され覆われている。【００１０】  この状態では、竿カバー本体の下部に連接されたハンガー掛け部が露出しているため、ハンガー掛け部を使用することができる。【００１１】  物干し竿を直接使用しないときは常に上記の状態であり、風雨に晒されるのもこの状態である。【００１２】  物干し竿を直接使用するときは、竿カバー本体の大径部を漸小側へ引くと竿カバー本体は裏返しとなり、竿カバー本体で覆われていた物干し竿の部分が露出となり、露出となっていた物干し竿部分が竿カバー本体に覆われる。【００１３】  これにより、竿カバー本体で覆っていた物干し竿の綺麗な部分が露出となり、竿カバー本体の汚れた面が裏返しとなって綺麗な面が露出される。【００１４】  よって竿カバー本体の裏返しにより、物干し竿の汚れをいちいち拭きとる必要がなく、簡単な操作で面倒なく使用出来る。【００１５】  竿カバー本体が、物干し竿の有効長の半分以上の長さの場合は、物干し竿の有効長の一端に竿カバー本体の大径部を位置して挿着し小径部を固着する。この場合竿カバー本体の裏返しが途中までとなるが汚れ面が裏返され綺麗な面が表面となるため目的を達成することが出来る。【００１６】  尚、本発明の「物干し竿の有効長」とは、竿掛け間は勿論のこと、洗濯物を掛ける部分も含まれる。また「室外」としているが屋外も含む。「漸大形状」とは線対称は勿論、対称でない形状も含む
【図面の簡単な説明】
【００１７】
【図１】  本発明の物干し竿カバーを竿に挿着した状態を示す斜視図
【図２】  本発明の物干し竿カバーの大径部を漸小側へ引き、一部を裏返した状態を示す斜視図
【図３】  本発明の物干し竿カバーが完全に裏返された状態を示す斜視図
【発明を実施するための形態】
【００１８】  本発明の実施の形態を、添付図面に例示した本発明の実施例に基づいて以下に具体的に説明する。
【００１９】  まず図１において、物干し竿７には、本発明の物干し竿カバー１が挿着されている。この物干し竿カバー１は、竿カバー本体２とその竿カバー本体２の下部に連接されるハンガー掛け部６より構成される。以下「物干し竿カバー」を「竿カバー」とする。
【００２０】  室外に設置された物干し竿７の有効長の略中央に竿カバー１の小径部３が位置するように挿着し、その小径部３を固着している。これにより物干し竿７の中央より一方は露出し、他方は竿カバー１で覆われている。これは物干し竿７を直接使用しないときの状態でハンガー掛け部６が使用できる。
【００２１】  つぎに図２、図３について説明すると、挿着された竿カバー１の大径部４を漸小側へ引くと竿カバー１は裏返され、竿カバー１で覆われていた物干し竿７の綺麗な部分が露出され、竿カバー１が露出して汚れていた部分が裏返され綺麗な面が表面となり、汚れていた部分の物干し竿７が竿カバー１に覆われる。これにより、物干し竿７を使用する都度、物干し竿７の汚れを拭き取る面倒がなくなる。
【００２２】  上記状態では、竿カバー本体２の下部に連接されているハンガー掛け部６は竿カバー本体２の裏側に位置するため使用出来ない。
【００２３】  この竿カバー本体２は小径部３より漸大形状になっているため、大径部４に装着しているハンドル５の押さえを解除し、漸小側へ引くと簡単に裏返すことが出来る。
【００２４】  大径部４は裏返された形状で略円形状に復元力を持ったバンドが挿通され、ハンドル５に押さえられて開口面を小さくし、ゴミの侵入を防いでいる。
【００２５】  以上のように本発明の竿カバー１によれば、ハンガー掛け部６を装着しているため物干し竿７を直接使用しないときはハンガー掛け部６を使用出来、物干し竿７を直接使用するときは竿カバー１を裏返すことで竿カバー１の長さの略２倍の長さが有効長となり簡単かつ迅速に洗濯物の竿掛けができる。
【００２６】
【符号の説明】
【００２７】１・・・物干し竿カバー
２・・・竿カバー本体
３・・・小径部
４・・・大径部
５・・・ハンドル
６・・・ハンガー掛け部
７・・・物干し竿
８・・・竿掛け
【図１】
2013022431.tif 000003
【図２】
2013022431.tif 000004
【図３】
2013022431.tif 000005
(57)【要約】【課題】  片手でも使いやすいように、台にタオルを絞れる部分を施した脱水器を提供する。【解決手段】  器具の台（１）の一端に水抜き穴（５）を施したタオル投入部（２）を設け、タオル押し部（３）を施した押し板（４）を設けた脱水機能を特徴とする。【選択図】図１
2013022440.tif 000002
【特許請求の範囲】
【請求項１】
器具の台（１）に水抜き穴（５）を施したタオル置き（２）を設け、押し部（３）を施した押し板（４）を設けた脱水器。
【発明の詳細な説明】
【技術分野】
【０００１】  この発明は片手の不自由な人がタオルを楽に絞ることができる器具に関するものである。
【背景技術】
【０００２】  従来、店頭にて片手でタオルを絞れるものがなかった。
【先行技術文献】
【０００３】
【特許文献１】
【非特許文献１】
【発明の概要】
【発明が解決しようとする課題】
【０００４】  事故などで片手が自由に使えなくなってタオルを絞ることが困難になったが、タオルを片手でも絞れる器具が無く困っていた。
本発明はそれを解消するためになされたものである。
【課題を解決するための手段】
【０００５】  器具の台（１）のタオル投入部（２）にタオルを入れて、押し部（３）の付いた押し軸（４）を設ける。
タオル投入部（２）には絞ったときに水が抜けるように水抜き穴（５）を設ける。
本発明は以上の構成よりなるタオルを絞る器具である。
【発明の効果】
【０００６】  簡単な操作で、力を必要とせず片手だけでタオルを絞れる。
【図面の簡単な説明】
【０００７】
【図１】本発明の斜視図である。
【図２】本発明の側面図である。
【発明を実施するための形態】
【０００８】以下、本発明を実施するための形態について説明する。
台（１）の支点近くに水抜き穴（５）を施したタオル投入部（２）を設ける。
押し板（４）に、タオル投入部（２）の上部にタオル押し部（３）を設ける。
上下が分割しないように台（１）と押し軸（４）をシャフト（６）にて組み合せる。
本発明は以上のような構造である。
これを使用する時は台のタオル投入部に折りたたんだタオルを入れて押し板ではさむことによりタオルの水が絞れる。
【符号の説明】
【０００９】（１）器具の台
（２）タオル投入部
（３）タオル押し部
（４）押し板
（５）水抜き穴
（６）シャフト
【図１】
2013022440.tif 000003
【図２】
2013022440.tif 000004
(57)【要約】【課題】  電気掃除機用床ノズルが障害物等で床から浮いた場合でもノズル全体で安定した吸引力を保持することを課題とする。【解決手段】  電気掃除機の吸引パイプを床ノズル付近で２つに分岐させノズル上に適切に配置することで、障害物のためノズルを浮かせて使用する場合でも、ノズルの両端付近の吸引力を失うことなく使用できる。【選択図】図１
2013022437.tif 000002
【特許請求の範囲】
【請求項１】
電気掃除機の吸引パイプを２つに分岐させノズル上に適切に配置することで吸引力の安定を図る事を特徴とする電気掃除機用床ノズル。
【発明の詳細な説明】
【技術分野】
【０００１】  本発明は、電気掃除機用床ノズルの吸引パイプを２つに分岐させ、ノズル上に適切に配置することで、ノズル全体での安定した吸引を可能にしたものである。
【背景技術】
【０００２】  従来から、１本の吸引パイプをノズルの中央に配置した電気掃除機用床ノズルが利用されている。また、近年では高いじんあい除去能力を持つパワーブラシを搭載した電気掃除機用床ノズルが主流となっている。【０００３】  例えば、特開２００７−０１４３７０号は、１本の吸引パイプが床ノズルの中央に配置されており、またパワーブラシを搭載している。
【先行技術文献】
【特許文献】
【０００４】
【特許文献１】特開２００７−０１４３７０号公報
【発明の概要】
【発明が解決しようとする課題】
【０００５】  １本の吸引パイプをノズルの中央に配置した電気掃除機用床ノズルは、床に密着させた場合はノズル全体で吸引できるが、畳の縁や敷居などの障害物があり浮かせて使用しなければならない場合、ノズルの端の吸引力が減少するため掃除の効率が低下していた。また、パワーブラシを搭載した電気掃除機でも、上記のような障害物に乗り上げるだけで部分的にブラシの空転が起き、掃除の効率が低下していた。【０００６】  本発明は、ノズルが浮いてしまう状況でもノズル全体で安定した吸引力を保持することを課題とする。
【課題を解決するための手段】
【０００７】  この課題を解決するために本発明は、吸引パイプをノズル付近で２つに分岐させ、ノズル上に適切に配置することで、常にノズル全体で吸引できることを特徴としている。
【発明の効果】
【０００８】  本発明のモデルと従来の電気掃除機用床ノズルを比較した実験を行なったので簡単な結果を掲載する。（なお、使用した電気掃除機本体は吸込仕事率１２０Ｗのハンディタイプのものである。）ノズル下部の吸引口の端から３ｃｍ部分の下に２ｃｍ四方のノートの切れ端を置き、どの高さで吸引出来るかというもので、従来のノズルでは床から２ｍｍの高さで吸引できたのに対し、本発明では床から８ｍｍの高さで吸引できた。従来の電気掃除機用床ノズルは床にほぼ密着させなければノズルの端で吸引できないのに対し、本発明のノズルは浮かせて使用する場合でもノズルの端まで吸引力を保持できている。
【図面の簡単な説明】
【０００９】
【図１】本発明の電気掃除機用床ノズルを上からみた断面図である。
【図２】本発明の電気掃除機用床ノズルを横からみた断面図である。
【図３】本発明の電気掃除機用床ノズルを前からみた断面図である。
【発明を実施するための最良の形態】
【００１０】  本発明の実施形態について図面を参照して説明する。図１の２ａの吸引パイプが４で分岐し、２ｂ・２ｃの吸引パイプを経てノズル下部にある５の吸引口につながっている。２ｂはノズル右端から１／４部分、２ｃはノズル右端から３／４部分に配置すればノズルの吸引力のバランスが良い。【００１１】  次に、本発明ではノズルを床面に密着させなくてもノズル全体で吸引できるので、図１や図２のように吸引口をノズル下面の前方に配置することも可能である。【００１２】  また、図１の３ａのジョイントと、３ｂ・３ｃのジョイントを設ければ、簡単・安価に従来の電気掃除機と同等の操作性を実現できる。【００１３】  吸引パイプを３以上に分岐させることも検討したが、構造が複雑になる・大きいゴミを吸引しにくくなる・吸引力のバランスが崩れやすい等の理由から２つに分岐させることが最適であると考える。
【符号の説明】
【００１４】１    ノズル外殻
２ａ  吸引パイプ
２ｂ  ４の合流点から吸引口につながる右側の吸引パイプ
２ｃ  ４の合流点から吸引口につながる左側の吸引パイプ
３ａ  回転する可動部
３ｂ  回転する可動部（３ｃと同軸）
３ｃ  回転する可動部（３ｂと同軸）
４    吸引ルートの合流点
５    吸引口
６    コロ
【図１】
2013022437.tif 000003
【図２】
2013022437.tif 000004
【図３】
2013022437.tif 000005
(57)【要約】【課題】高温の汚れた排水を熱交換で回収する場合、伝熱面に汚れが付着し熱交換の妨げになる。密閉された熱交換器では、洗浄が困難である。【解決手段】開放された排水ピット内にスパイラルフレキシブルチューブを漬け置きし水と熱交換させる事で排熱の回収をする。フレキシブルチューブは、容易に動かせる為、洗浄が容易である。【選択図】図１
2013022433.tif 000002
【特許請求の範囲】
【請求項１】
熱交換器のチューブにＳＵＳ製のスパイラルフレキシブルチューブを採用する。
【請求項２】
チューブ取り付け用の管寄部分に傾斜を設ける。
【発明の詳細な説明】
【技術分野】
【０００１】この発明は、洗濯の温排水を排水ピットの中に漬け置きした熱交換器によって熱を回収する装置に関するものである。
【先行技術文献】
【０００２】熱交換器の種類としてシェル＆チューブ式熱交換器とプレート式熱交換器がある。
洗濯の排水には繊維屑や金属石鹸等が多く含まれている為、熱交換伝熱部分にそれらが付着し著しく熱交換能力を低下させてしまう。頻繁に伝熱部分を洗浄する必要があり、従来の密閉式の熱交換器では使用不可能である。
【発明が解決しようとする課題】
【０００３】この発明は伝熱部を洗浄が可能にする事、限られた排水ピット内に回収に必要な伝熱面積を確保する事の二点である。
【課題を解決するための手段】
【０００４】伝熱面を洗浄可能にする方法として  ▲１▼開放型の排水ピットの中に熱交換器を漬け置きする。  ▲２▼熱交換器のチューブをフレキシブルにする。
伝熱面積を多くする方法として、▲１▼チューブをスパイラル式にする。▲２▼チューブの管寄部を傾斜させる。
【発明の効果】
【０００５】開放された排水ピットの中でフレキシブルチューブが容易に動くので高圧洗浄機等で水洗いする事が容易に行える。
スパイラルチューブはストレートチューブと比べ表面積が多い。又、水流に乱流が生じ熱交換能力が向上する。
チューブの管寄部に傾斜をつけるとチューブの取り付け面積を広く取れる為、チューブの取り付け本数が多くなる。チューブの接続角度が水平にはならないが、フレキシブルチューブは容易に曲げられるので施工に支障は無い。
【図面の簡単な説明】
【０００６】
【図１】の説明  ▲２▼の管寄面を傾斜する事でチューブ取り付け面積を大きくしチューブの取り付け本数を多くする。▲２▼の管寄面を傾斜させても▲３▼のスパイラルフレキシブルチューブを使用する事により施工が可能となる。▲７▼の冷水入り口と▲８▼の温水取り出し口は対角行列とし、水流の偏りを防ぐ。
【０００７】
【図２】の説明  ▲１▼の開放式の排水ピットの中に▲４▼の温排水が流され▲５▼の配管により浄化槽へ排出される。▲７▼から給水された冷水は▲３▼のスパイラルフレキシブルチューブを通過する時、排水ピットを流れる温排水と熱交換して▲８▼から温水として取り出す。▲４▼の排水は、▲６▼の仕切り板により一時的に排水ピット内に留まり熱交換の効率を向上させる。▲３▼のフレキシブルチューブに付着した物は、排水ピットが開放されている事と、チューブが容易に動かせる事で容易に洗浄が可能となる。
【発明を実施するための形態】
【実施例】
【０００８】図３は、リネン工場で使用している連続洗濯機のフローの一例である。
洗濯後の高温排水を排水ピットに流して浄化槽へ排出している。排水ピットの中にスパイラルフレキシブルチューブを漬け置きし、洗濯用の新水と熱交換させ洗濯水の温度を予熱する。
【産業上の利用可能性】リネン工場で使用されている連続洗濯機は洗浄力を高める為、洗濯水をスチームで加熱している。高い温度の排水であるが、洗濯後の排水は汚れている為熱回収が出来ないでいたが、この発明で熱回収が可能となった。フレキシブルチューブの総面積に拠るが省エネ率５０％以上の削減になる。二次的効果として、排水の温度が低下することにより浄化槽のバクテリアの繁殖環境が良くなる。
【符号の説明】
【０００９】▲１▼排水ピット  ▲２▼フレキシブルチューブ管寄  ▲３▼スパイラルフレキシブルチューブ  ▲４▼排水管  ▲５▼排水管（浄化槽へ）  ▲６▼排水ピット仕切り板  ▲７▼熱交換入り口  ▲８▼熱交換取り出し口
【図１】
2013022433.tif 000003
【図２】
2013022433.tif 000004
【図３】
2013022433.tif 000005
【手続補正書】
【提出日】平成23年10月6日(2011.10.6)
【手続補正１】
【補正対象書類名】明細書
【補正対象項目名】０００７
【補正方法】変更
【補正の内容】
【０００７】
【図２】の説明  ▲１▼の開放式の排水ピットの中に▲４▼の温排水が流され▲５▼の配管により浄化槽へ排出される。▲７▼から給水された冷水は▲３▼のスパイラルフレキシブルチューブを通過する時、排水ピットを流れる温排水と熱交換して▲８▼から温水として取り出す。▲４▼の排水は、▲６▼の仕切り板により一時的に排水ピット内に留まり熱交換の効率を向上させる。▲３▼のフレキシブルチューブに付着した物は、排水ピットが開放されている事と、チューブが容易に動かせる事で容易に洗浄が可能となる。
【図３】本発明のスパイラル・フレキシブル熱交換器の設置の一例をフローで示した図です。
(57)【要約】      （修正有）【課題】調理を簡素化し、収納を最小化した簡易グリルを提供する。【解決手段】四角形フレーム３個を横一列に３連結し、連結部分を軸にフレームそれぞれが３６０度回転できるようにし、１個のフレームより大きめの四角形の焼き網１枚を３連結したフレームのうち，中央のフレームで、連結されていない一辺に、回転自在に取り付け、さらに１枚が１個のフレームより小さめの四角形の風除け板４枚を屏風折状に４連結し、連結部を軸に風除け板それぞれが３６０度回転できるようにする、角型Ｓ字状に折ったアーム２本を用意し、アームの一端を、４枚の風除け板のうち左右いずれか２番目の風除け板の中心点より左右に取り付け、他端を、焼き網のフレームと連結した辺に巻き込むように取り付けることで、一体の調理器具を構成し別途設けた収納箱、収納蓋と、調理器具とを一組とした簡易グリル。【選択図】図２
2013022434.tif 000002
【特許請求の範囲】
【請求項１】
四角形フレーム３個を横一列に３連結し、連結部分を軸にフレームそれぞれが３６０度回転できるようにし、１個のフレームより大きめの四角形の焼き網１枚を、３連結したフレームのうち、中央のフレームで、連結されていない一辺に、回転自在に取り付け、さらに１枚が１個のフレームより小さめの四角形の風除け板４枚を屏風折状に４連結し、連結部を軸に風除け板それぞれが３６０度回転できるようにする、角型Ｓ字状に折ったアーム２本を用意し、アームの一端を、４枚の風除け板のうち左右いずれか２番目の風除け板の、中心点より左右に取り付け、他端を、焼き網のフレームと連結した辺に巻き込むように取り付けることで一体の調理器具を構成し、別途設けた収納箱、収納蓋と、調理器具とを一組とした簡易グリル。
【発明の詳細な説明】
【技術分野】
【０００１】本発明は、災害時およびレジャーの際の調理を容易にする簡易グリルである。
【背景技術】
【０００２】従来調理には、調理方法によって多種多様な調理器具が用いられていた。
【発明の概要】
【発明が解決しようとする課題】
【０００３】従来調理には、調理方法によって様々な調理器具が用いられていた。そのため調理後の清掃は煩雑であり、器具の形、大きさも多様で、収納にも多くのスペースを必要とした。
本発明は以上の問題点を解決するものである。
【課題を解決するための手段】
【０００４】四角形フレ−ム３個を横一列に３連結し、連結部分を軸にフレームそれぞれが３６０度回転できるようにし、１個のフレームより大きめの四角形の焼き網１枚を３連結したフレームのうち中央のフレームで、連結されていない一辺に、回転自在に取り付け、さらに１枚が１個のフレームより小さめの四角形の風除け板４枚を、屏風折状に４連結し、連結部を軸に風除け板それぞれが３６０度回転できるようにする、角型Ｓ字状に折ったアーム２本を用意し、アームの一端を、４枚の風除け板のうち左右いずれか２番目の風除け板の中心点より左右に取り付け、他端を、焼き網のフレームと連結した辺に巻き込むように取り付けることで一体の調理器具を構成し、別途設けた収納箱、収納蓋と、調理器具とを一組とした簡易グリル。
【発明の効果】
【０００５】従来多種多様であった調理器具を、本発明は１体の器具に集約することで清掃の簡素化、収納の最小化を図り、燃料もカセットガス、固形燃料、木炭、豆炭など対応できるものにした。
これにより非常時の携行を可能とし、屋外調理の不便さを大幅に改善することができた。
【図面の簡単な説明】
【０００６】
【図１】本発明の収納箱と収納蓋の斜視図
【図２】本発明の折りたたみ式単体グリルの斜視図
【図３】本発明の一部であるアーム部の斜視図
【図４】本発明の使用状態を示す斜視図
【図５】本発明の使用状態を示す斜視図
【図６】本発明の使用状態を示す斜視図
【図７】本発明の使用状態を示す斜視図
【図８】本発明の使用状態を示す斜視図
【発明を実施するための形態】
【０００７】  以下、本発明の実施の形態を説明する。
（イ）四角形のフレーム（５）３個を横一列に３連結し、連結部分を軸にそれぞれが３６０度回転できるようにする。
（ロ）１個のフレーム（５）より大きめの四角形の焼き網（３）１枚を３連結したフレーム（５）のうち中央のフレーム（５）で連結されていない一辺と、回転自在に取り付ける。
（ハ）１枚が１個のフレーム（５）より小さめの四角形の風よけ板（４）４枚を、屏風折状に４連結、連結部を軸にそれぞれ３６０度回転できるようにする。
（ニ）角型Ｓ字状に折ったアーム（６）２本を用意し、アーム（６）の一端を、４枚の風除け板（４）のうち左右いずれか２番目の風除け板（４）の中心点より左右に取り付け、他端を、焼き網（３）のフレーム（５）と連結した辺に巻き込むように取り付けることで一体の調理器具を構成する。
本発明は以上のような構造である。
本発明を使用するときは、四角形風よけ板（４）を「コ」の字形に立脚させ、外側に沿うように四角形フレーム（５）を立脚させる。この状態で四角形焼き網（３）が四角形フレームの上にくると風よけ付釜戸となり、この状態から四角形風よけ板（４）を箱型に変化させれば熱効率の高い釜戸となる。
次に、四角形フレーム（５）を「コ」の字形に立脚させ、四角形焼き網（３）が中央の四角形フレーム（５）の連結部を軸に回転すると、四角形焼き網（３）は、四角形フレーム（５）の上にのることになる、この時アーム（６）で連結された四角形風よけ板（４）も四角形焼き網（３）の上にのる。この状態で四角形風よけ板（４）を箱型に組みあげ、収納蓋（１）を上かぶせると、燻製箱、壺焼きの壺状になる。
この状態から燻製箱となった四角形風よけ板（４）を後方に傾け、四角形風よけ板（４）とアーム（６）の間に収納蓋（１）を差し込み、収納箱（２）を上に乗せると蒸し器となる。また、収納蓋（１）は、単独でフライパンとなり、収納箱（２）は、収納蓋（１）と一対で鍋となる。
【符号の説明】
【０００８】１  収納蓋、２  収納箱、３  四角形焼き網、４  四角形風よけ板、５  四角形フレーム  ６  アーム
【図１】
2013022434.tif 000003
【図２】
2013022434.tif 000004
【図３】
2013022434.tif 000005
【図４】
2013022434.tif 000006
【図５】
2013022434.tif 000007
【図６】
2013022434.tif 000008
【図７】
2013022434.tif 000009
【図８】
2013022434.tif 000010